(57)【特許請求の範囲】
【請求項１】
ユーザ機器によってサービングシステムと通信することと、
少なくとも１つの非サービングシステムのうちのいずれかへのアクセスの開始の前に前記少なくとも１つの非サービングシステムによってブロードキャストされたシステム情報を読み取ることであって、前記システム情報は、前記少なくとも１つの非サービングシステムへのアクセスを開始するための１つまたは複数のアクセスパラメータを含む、読み取ることと、
前記少なくとも１つの非サービングシステムのうちのいずれかへのアクセスの開始の前に前記ユーザ機器において前記少なくとも１つの非サービングシステムによってブロードキャストされた前記システム情報をキャッシュすることと、
前記ユーザ機器によって前記キャッシュされたシステム情報を使用して、前記少なくとも１つの非サービングシステムのうちの非サービングシステムにアクセスすることと
を備える、ワイヤレス通信のための方法。
【請求項２】
前記サービングシステムがパケット交換サービスのみをサポートし、前記少なくとも１つの非サービングシステムが回線交換サービスをサポートする、請求項１に記載の方法。
【請求項３】
回線交換フォールバックのためのリダイレクションコマンドを用いて接続リリースを受信することと、
リダイレクションコマンドを用いた前記接続リリースに応答して前記非サービングシステムへのアクセスを開始することと
をさらに備える、請求項２に記載の方法。
【請求項４】
システム情報を前記読み取ることは、前記ユーザ機器がアイドルモードにあり、前記サービングシステムにキャンプオンしているとき、起動期間中に前記少なくとも１つの非サービングシステムによってブロードキャストされた前記システム情報を読み取ることを備える、請求項１に記載の方法。
【請求項５】
システム情報を前記読み取ることは、前記ユーザ機器が接続モードにあり、前記サービングシステムとアクティブに通信しているとき、間欠受信期間中に前記少なくとも１つの非サービングシステムによってブロードキャストされた前記システム情報を読み取ることを備える、請求項１に記載の方法。
【請求項６】
システム情報を前記読み取ることは、前記ユーザ機器が接続モードにあるとき、前記サービングシステムとの通信を中断することなしに、前記ユーザ機器による別個の受信経路に基づいて前記少なくとも１つの非サービングシステムによってブロードキャストされた前記システム情報を読み取ることを備える、請求項１に記載の方法。
【請求項７】
システム情報を前記読み取ることが、前記少なくとも１つの非サービングシステムによってブロードキャストされた前記システム情報を前記ユーザ機器によるバックグラウンドタスクとして読み取ることを備える、請求項１に記載の方法。
【請求項８】
システム情報を前記読み取ることが、前記少なくとも１つの非サービングシステム中の所定の数のネイバーセル、または前記ユーザ機器において特定のしきい値を上回る信号強度をもつネイバーセル、またはその両方によってブロードキャストされたシステム情報を読み取ることを備える、請求項１に記載の方法。
【請求項９】
前記ユーザ機器の速度、または前記少なくとも１つの非サービングシステム中のセルの無線状態、または前記ユーザ機器のターゲット待機時間、またはそれらの組合せに基づいて、前記少なくとも１つの非サービングシステムによってブロードキャストされた前記システム情報を読み取ることの周期性を判断することをさらに備える、請求項１に記載の方法。
【請求項１０】
前記少なくとも１つの非サービングシステムによってブロードキャストされた前記システム情報の全部または一部分を読み取るべきかどうかを判断することをさらに備える、請求項１に記載の方法。
【請求項１１】
前記キャッシュされたシステム情報が有効であるかどうかを判断することと、
前記キャッシュされたシステム情報が有効である場合、前記非サービングシステムを評価するために前記キャッシュされたシステム情報を使用することと、
前記キャッシュされたシステム情報が有効でない場合、前記非サービングシステムによってブロードキャストされた現在のシステム情報を読み取り、前記現在のシステム情報を前記非サービングシステムを評価するために使用することと
をさらに備える、請求項１に記載の方法。
【請求項１２】
前記キャッシュされたシステム情報が有効であるかどうかを判断することが、前記システム情報の最後の読み取りからの経過時間が特定のしきい値よりも小さい場合、前記キャッシュされたシステム情報が有効であると判断することを備える、請求項１１に記載の方法。
【請求項１３】
前記非サービングシステムにアクセスするより前に前記非サービングシステム中の少なくとも１つの候補セルの少なくとも１つのマスタ情報ブロックを読み取ることと、
前記少なくとも１つのマスタ情報ブロック中の情報に基づいて前記キャッシュされたシステム情報が変化したかどうかを判断することと、
前記キャッシュされたシステム情報が変化していないとき、前記非サービングシステムにアクセスするために前記キャッシュされたシステム情報を使用することと
をさらに備える、請求項１に記載の方法。
【請求項１４】
前記サービングシステムから、前記少なくとも１つの非サービングシステムによってブロードキャストされた前記システム情報が変化したかどうかを示すネイバー情報を受信することをさらに備え、前記ネイバー情報が前記少なくとも１つの非サービングシステムによってブロードキャストされた前記システム情報が変化したことを示す場合、システム情報を前記読み取ることが、前記少なくとも１つの非サービングシステムによってブロードキャストされた前記システム情報を読み取ることを備える、請求項１に記載の方法。
【請求項１５】
前記サービングシステムから、前記サービングシステム中のサービングセルと前記少なくとも１つの非サービングシステム中の少なくとも１つのネイバーセルとの間の少なくとも１つのタイミングオフセットを示すネイバー情報を受信することをさらに備え、システム情報を前記読み取ることが、前記少なくとも１つのタイミングオフセットに基づいて前記少なくとも１つの非サービングシステムによってブロードキャストされた前記システム情報を読み取ることを備える、請求項１に記載の方法。
【請求項１６】
前記サービングシステムから、前記少なくとも１つの非サービングシステム中のネイバーセル、または前記ネイバーセルのタイミング、または前記ネイバーセルの周波数、またはそれらの組合せを示すネイバー情報を受信することをさらに備え、システム情報を前記読み取ることが、前記ネイバー情報に基づいて前記少なくとも１つの非サービングシステムによってブロードキャストされた前記システム情報を読み取ることを備える、請求項１に記載の方法。
【請求項１７】
前記非サービングシステムに前記アクセスすることが、
前記キャッシュされたシステム情報に基づいて少なくとも１つのアクセスパラメータを判断することと、
前記少なくとも１つのアクセスパラメータに基づいて前記非サービングシステムを評価することと
を備える、請求項１に記載の方法。
【請求項１８】
前記非サービングシステムに前記アクセスすることが、
前記少なくとも１つの非サービングシステム中で少なくとも１つのネイバーセルを検出することと、
前記少なくとも１つのネイバーセルの中から前記ユーザ機器によるアクセスの候補セルを識別することと、
前記キャッシュされたシステム情報が前記候補セルに適用可能であるかどうかを判断することと、
前記候補セルに適用可能である場合、前記キャッシュされたシステム情報に基づいて前記候補セルにアクセスすることと
を備える、請求項１に記載の方法。
【請求項１９】
サービングシステムと通信するための手段と、
少なくとも１つの非サービングシステムのうちのいずれかへのアクセスの開始の前に前記少なくとも１つの非サービングシステムによってブロードキャストされたシステム情報を読み取るための手段であって、前記システム情報は、前記少なくとも１つの非サービングシステムへのアクセスを開始するための１つまたは複数のアクセスパラメータを含む、読み取るための手段と、
前記少なくとも１つの非サービングシステムのうちのいずれかへのアクセスの開始の前に前記少なくとも１つの非サービングシステムによってブロードキャストされた前記システム情報をキャッシュするための手段と、
前記キャッシュされたシステム情報を使用して、前記少なくとも１つの非サービングシステムのうちの非サービングシステムにアクセスするための手段と
を備える、ワイヤレス通信のための装置。
【請求項２０】
システム情報を読み取るための前記手段は、前記装置がアイドルモードにあり、前記サービングシステムにキャンプオンしている起動期間中、または前記装置が接続モードにあり、前記サービングシステムとアクティブに通信している間欠受信期間中、またはその両方中に、前記少なくとも１つの非サービングシステムによってブロードキャストされた前記システム情報を読み取るための手段を備える、請求項１９に記載の装置。
【請求項２１】
前記装置の速度、または前記少なくとも１つの非サービングシステム中のセルの無線状態、または前記装置のターゲット待機時間、またはそれらの組合せに基づいて、前記少なくとも１つの非サービングシステムによってブロードキャストされた前記システム情報を読み取ることの周期性を判断するための手段をさらに備える、請求項１９に記載の装置。
【請求項２２】
前記キャッシュされたシステム情報が有効であるかどうかを判断するための手段と、
前記キャッシュされたシステム情報が有効である場合、前記非サービングシステムを評価するために前記キャッシュされたシステム情報を使用するための手段と、
前記キャッシュされたシステム情報が有効でない場合、前記非サービングシステムによってブロードキャストされた現在のシステム情報を読み取り、前記非サービングシステムを評価するために前記現在のシステム情報を使用するための手段と
をさらに備える、請求項１９に記載の装置。
【請求項２３】
前記非サービングシステムにアクセスするより前に前記非サービングシステム中の少なくとも１つの候補セルの少なくとも１つのマスタ情報ブロックを読み取るための手段と、
前記少なくとも１つのマスタ情報ブロック中の情報に基づいて前記キャッシュされたシステム情報が変化したかどうかを判断するための手段と、
前記キャッシュされたシステム情報が変化していないとき、前記非サービングシステムにアクセスするために前記キャッシュされたシステム情報を使用するための手段と
をさらに備える、請求項１９に記載の装置。
【請求項２４】
前記サービングシステムから、前記少なくとも１つの非サービングシステム中のネイバーセル、または前記ネイバーセルのタイミング、または前記ネイバーセルの周波数、またはそれらの組合せを示すネイバー情報を受信するための手段をさらに備え、システム情報を読み取るための前記手段が、前記ネイバー情報に基づいて前記少なくとも１つの非サービングシステムによってブロードキャストされた前記システム情報を読み取るための手段を備える、請求項１９に記載の装置。
【請求項２５】
前記非サービングシステムにアクセスするための前記手段が、
前記キャッシュされたシステム情報に基づいて少なくとも１つのアクセスパラメータを判断するための手段と、
前記少なくとも１つのアクセスパラメータに基づいて前記非サービングシステムを評価するための手段と
を備える、請求項１９に記載の装置。
【請求項２６】
サービングシステムと通信することと、少なくとも１つの非サービングシステムのうちのいずれかへのアクセスの開始の前に前記少なくとも１つの非サービングシステムによってブロードキャストされたシステム情報を読み取ることであって、前記システム情報は、前記少なくとも１つの非サービングシステムへのアクセスを開始するための１つまたは複数のアクセスパラメータを含む、読み取ることと、前記少なくとも１つの非サービングシステムのうちのいずれかへのアクセスの開始の前に前記少なくとも１つの非サービングシステムによってブロードキャストされた前記システム情報をキャッシュすることと、ユーザ機器によって前記キャッシュされたシステム情報を使用して、前記少なくとも１つの非サービングシステムのうちの非サービングシステムにアクセスすることと
を行うように構成された回路を備える、ワイヤレス通信のための装置。
【請求項２７】
前記回路は、前記装置がアイドルモードにあり、前記サービングシステムにキャンプオンしている起動期間中、または前記装置が接続モードにあり、前記サービングシステムとアクティブに通信している間欠受信期間中、またはその両方中に、前記少なくとも１つの非サービングシステムによってブロードキャストされた前記システム情報を読み取るようにさらに構成された、請求項２６に記載の装置。
【請求項２８】
前記回路が、前記装置の速度、または前記少なくとも１つの非サービングシステム中のセルの無線状態、または前記装置のターゲット待機時間、またはそれらの組合せに基づいて、前記少なくとも１つの非サービングシステムによってブロードキャストされた前記システム情報を読み取ることの周期性を判断するようにさらに構成された、請求項２６に記載の装置。
【請求項２９】
前記回路は、前記キャッシュされたシステム情報が有効であるかどうかを判断することと、前記キャッシュされたシステム情報が有効である場合、前記非サービングシステムを評価するために前記キャッシュされたシステム情報を使用することと、前記キャッシュされたシステム情報が有効でない場合、前記非サービングシステムによってブロードキャストされた現在のシステム情報を読み取り、前記非サービングシステムを評価するために前記現在のシステム情報を使用することとを行うようにさらに構成された、請求項２６に記載の装置。
【請求項３０】
前記回路が、前記非サービングシステムにアクセスするより前に前記非サービングシステム中の少なくとも１つの候補セルの少なくとも１つのマスタ情報ブロックを読み取ることと、前記少なくとも１つのマスタ情報ブロック中の情報に基づいて前記キャッシュされたシステム情報が変化したかどうかを判断することと、前記キャッシュされたシステム情報が変化していないとき、前記非サービングシステムにアクセスするために前記キャッシュされたシステム情報を使用することとを行うようにさらに構成された、請求項２６に記載の装置。
【請求項３１】
前記回路が、前記サービングシステムから、前記少なくとも１つの非サービングシステム中のネイバーセル、または前記ネイバーセルのタイミング、または前記ネイバーセルの周波数、またはそれらの組合せを示すネイバー情報を受信することと、前記ネイバー情報に基づいて前記少なくとも１つの非サービングシステムによってブロードキャストされた前記システム情報を読み取ることとを行うようにさらに構成された、請求項２６に記載の装置。
【請求項３２】
前記回路が、前記キャッシュされたシステム情報に基づいて少なくとも１つのアクセスパラメータを判断することと、前記少なくとも１つのアクセスパラメータに基づいて前記非サービングシステムを評価することとを行うようにさらに構成された、請求項２６に記載の装置。
【請求項３３】
少なくとも１つのコンピュータに、サービングシステムと通信させるためのコードと、
前記少なくとも１つのコンピュータに、少なくとも１つの非サービングシステムのうちのいずれかへのアクセスの開始の前に前記少なくとも１つの非サービングシステムによってブロードキャストされたシステム情報を読み取らせるためのコードであって、前記システム情報は、前記少なくとも１つの非サービングシステムへのアクセスを開始するための１つまたは複数のアクセスパラメータを含む、読み取らせるためのコードと、
前記少なくとも１つのコンピュータに、前記少なくとも１つの非サービングシステムのうちのいずれかへのアクセスの開始の前に前記少なくとも１つの非サービングシステムによってブロードキャストされた前記システム情報をキャッシュさせるためのコードと、
前記少なくとも１つのコンピュータに、前記キャッシュされたシステム情報を使用して、前記少なくとも１つの非サービングシステムのうちの非サービングシステムにアクセスさせるためのコードと
を備える非一時的コンピュータ可読記憶媒体。
【発明の詳細な説明】
【技術分野】
【０００１】
本出願は、本発明の譲受人に譲渡され、参照により本明細書に組み込まれる、２０１０年２月１２日に出願された「Method for Offline Reading and Caching of System Information to Reduce Call setup delay」と題する米国仮出願第６１／３０４，２５８号の優先権を主張する。
【０００２】
本開示は、一般に通信に関し、より詳細には、ワイヤレス通信システムにアクセスするための技法に関する。
【背景技術】
【０００３】
ワイヤレス通信システムは、ボイス、ビデオ、パケットデータ、メッセージング、ブロードキャストなど、様々な通信コンテンツを提供するために広く展開されている。これらのワイヤレスシステムは、利用可能なシステムリソースを共有することによって複数のユーザをサポートすることが可能な多元接続システムであり得る。そのような多元接続システムの例には、符号分割多元接続（ＣＤＭＡ）システム、時分割多元接続（ＴＤＭＡ）システム、周波数分割多元接続（ＦＤＭＡ）システム、直交ＦＤＭＡ（ＯＦＤＭＡ）システム、およびシングルキャリアＦＤＭＡ（ＳＣ−ＦＤＭＡ）システムがある。
【０００４】
ワイヤレス通信システムは、いくつかのユーザ機器（ＵＥ）のための通信をサポートすることができるいくつかの基地局を含み得る。ＵＥは、ダウンリンクおよびアップリンクを介して基地局と通信し得る。ダウンリンク（または順方向リンク）は基地局からＵＥへの通信リンクを指し、アップリンク（または逆方向リンク）はＵＥから基地局への通信リンクを指す。
【０００５】
ＵＥは、複数のワイヤレスシステムのカバレージ内に位置し得、ワイヤレスシステムは、異なる能力を有し得、および／または異なる通信サービスを提供し得る。ＵＥは、通信サービスを取得するためにワイヤレスシステムのうちの１つにアクセスし得る。ワイヤレスシステムにアクセスするために、ＵＥは、ワイヤレスシステムからシステム情報を受信し、システム情報から関連アクセスパラメータを取得し、アクセスパラメータに基づいてアクセス手順を実行する必要があり得る。このプロセス全体は比較的冗長になることがあり、その場合、長い呼設定遅延が生じることがある。より良いユーザエクスペリエンスを与えるために呼設定遅延を低減することが望ましいことがある。
【発明の概要】
【０００６】
本明細書では、呼設定遅延を短縮するために非サービングシステムのシステム情報を読み取り、キャッシュするための技法について説明する。ＵＥは、サービングシステム上で動作し得、少なくとも１つの非サービングシステムのシステム情報を、たとえば、バックグラウンドタスクとして周期的に読み取り得る。ＵＥは、その場合、非サービングシステムにアクセスするために、もし必要とされるときに、アクセスパラメータを有し得る。これにより、ＵＥがシステムアクセス時に非サービングシステムのシステム情報を読み取る必要が回避され得、その場合、呼設定遅延が低減し得る。
【０００７】
１つの設計では、ＵＥは、たとえば、アイドルモードまたは接続モードでサービングシステムと通信し得る。ＵＥは、たとえば、ＵＥがアイドルモードでサービングシステムにキャンプオンされるときは起動（wake-up）期間中に、またはＵＥが接続モードでサービングシステムとアクティブに通信しているときは離調（tune-away）期間中に、少なくとも１つの非サービングシステムのシステム情報を読み取り得る。ＵＥは、ＵＥにおいて少なくとも１つの非サービングシステムのシステム情報をキャッシュ（すなわち、記憶）し得る。ＵＥは、その後、キャッシュされたシステム情報に基づいて、少なくとも１つの非サービングシステムのうちの非サービングシステムにアクセスし得る。
【０００８】
サービングシステムおよび非サービングシステムは、任意の能力を有し、任意の通信サービスを提供する任意のワイヤレスシステムであり得る。１つの設計では、サービングシステムはパケット交換（ＰＳ：packet switched）サービスのみをサポートし得、（１つまたは複数の）非サービングシステムは回線交換（ＣＳ：circuit switched）サービスをサポートし得る。１つの設計では、ＵＥは、ＣＳフォールバックのためのリダイレクションコマンドを用いて接続リリースを受信し得、次いで、このコマンドに応答して非サービングシステムへのアクセスを開始し得る。ＵＥはまた、他のトリガイベントに応答して非サービングシステムへのアクセスを開始し得る。
【０００９】
本開示の様々な態様および特徴について以下でさらに詳細に説明する。
【図面の簡単な説明】
【００１０】
【図１】複数のワイヤレス通信システムの展開を示す図。
【図２】キャッシュされたシステム情報に基づくシステムアクセスを示す図。
【図３】アイドルモードにあるＵＥによるシステム情報読取りを示す図。
【図４】接続モードにあるＵＥによるシステム情報読取りを示す図。
【図５】キャッシュされたシステム情報に基づいてシステムアクセスを実行するためのプロセスを示す図。
【図６】非サービングシステムのシステム情報の読取りをサポートするためのプロセスを示す図。
【図７】システム情報を受信し、キャッシュするための装置を示す図。
【図８】非サービングシステムのシステム情報の読取りをサポートするための装置を示す図。
【図９】基地局およびＵＥのブロック図。
【発明を実施するための形態】
【００１１】
本明細書で説明する技法は、ＣＤＭＡ、ＴＤＭＡ、ＦＤＭＡ、ＯＦＤＭＡ、ＳＣ−ＦＤＭＡおよび他のシステムなど、様々なワイヤレス通信システムに使用され得る。「システム」および「ネットワーク」という用語は、しばしば互換的に使用される。ＣＤＭＡシステムは、Ｕｎｉｖｅｒｓａｌ  Ｔｅｒｒｅｓｔｒｉａｌ  Ｒａｄｉｏ  Ａｃｃｅｓｓ（ＵＴＲＡ）、ｃｄｍａ２０００などの無線アクセス技術（ＲＡＴ：radio access technology）を実装し得る。ＵＴＲＡは、Ｗｉｄｅｂａｎｄ  ＣＤＭＡ（ＷＣＤＭＡ）およびＣＤＭＡの他の変形態を含む。ｃｄｍａ２０００は、ＩＳ−２０００、ＩＳ−９５およびＩＳ−８５６規格をカバーする。ＩＳ−２０００は、１ｘＲａｄｉｏ  Ｔｒａｎｓｍｉｓｓｉｏｎ  Ｔｅｃｈｎｏｌｏｇｙ（１ｘＲＴＴ）、ＣＤＭＡ２０００  １Ｘとも呼ばれる。ＴＤＭＡシステムは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）（登録商標）、Ｅｎｈａｎｃｅｄ  Ｄａｔａ  ｒａｔｅｓ  ｆｏｒ  ＧＳＭ  Ｅｖｏｌｕｔｉｏｎ（ＥＤＧＥ）などのＲＡＴを実装し得る。ＯＦＤＭＡシステムは、Ｅｖｏｌｖｅｄ  ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭ（登録商標）などのＲＡＴを実装し得る。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。３ＧＰＰ  Ｌｏｎｇ  Ｔｅｒｍ  Ｅｖｏｌｕｔｉｏｎ（ＬＴＥ）およびＬＴＥ−Ａｄｖａｎｃｅｄ（ＬＴＥ−Ａ）は、ダウンリンク上ではＯＦＤＭＡを利用し、アップリンク上ではＳＣ−ＦＤＭＡを利用するＥ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「３ｒｄ  Ｇｅｎｅｒａｔｉｏｎ  Ｐａｒｔｎｅｒｓｈｉｐ  Ｐｒｏｊｅｃｔ」（３ＧＰＰ）と呼ばれる組織からの文書に記載されている。ｃｄｍａ２０００およびＵＭＢは、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）と呼ばれる組織からの文書に記載されている。本明細書で説明する技法は、上記のワイヤレスシステムおよびＲＡＴ、ならびに他のワイヤレスシステムおよびＲＡＴのために使用され得る。明快のために、本技法のいくつかの態様をＬＴＥに関して以下で説明する。
【００１２】
図１に、複数のワイヤレス通信システムが重複するカバレージを有する例示的な展開を示す。第１のワイヤレスシステム１０２（たとえば、ＬＴＥシステム）は、Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ−ＵＴＲＡＮ）１２０と、サービングゲートウェイ（Ｓ−ＧＷ）１２４と、モビリティ管理エンティティ（ＭＭＥ：Mobility Management Entity）１２６とを含み得る。第２のワイヤレスシステム１０４（たとえば、ＵＭＴＳ、１ｘＲＴＴ、またはＧＳＭシステム）は、無線アクセスネットワーク（ＲＡＮ：Radio Access Network）１３０とモバイル交換センター（ＭＳＣ：Mobile Switching Center）１３４とを含み得る。
【００１３】
Ｅ−ＵＴＲＡＮ１２０は、第１のＲＡＴ（たとえば、ＬＴＥ）をサポートし得、いくつかの発展型ノードＢ（ｅＮＢ）１２２と、ＵＥのためのワイヤレス通信をサポートすることができる他のネットワークエンティティとを含み得る。各ｅＮＢは、特定の地理的エリアに通信カバレージを与える基地局であり得る。「セル」という用語は、このカバレージエリアにサービスするｅＮＢおよび／またはｅＮＢサブシステムのカバレージエリアを指すことができる。サービングゲートウェイ１２４は、Ｅ−ＵＴＲＡＮ１２０と通信し得、パケットルーティングおよびフォワーディング、モビリティアンカリング（mobility anchoring）、パケットバッファリング、ネットワークトリガされたサービスの開始などの様々な機能を実行し得る。ＭＭＥ１２６は、Ｅ−ＵＴＲＡＮ１２０およびサービングゲートウェイ１２４と通信し得、モビリティ管理、ベアラ管理、ページングメッセージの配信、セキュリティ制御、認証、ゲートウェイ選択などの様々な機能を実行し得る。ＬＴＥにおけるネットワークエンティティは、公開されている「Evolved Universal Terrestrial Radio Access (E-UTRA) and Evolved Universal Terrestrial Radio Access Network (E-UTRAN); Overall description」と題する３ＧＰＰ  ＴＳ３６．３００に記載されている。
【００１４】
ＲＡＮ１３０は、第２のＲＡＴ（たとえば、ＷＣＤＭＡ、１ｘＲＴＴ、ＧＳＭ／ＥＤＧＥなど）をサポートし得、いくつかの基地局１３２と、ＵＥのためのワイヤレス通信をサポートすることができる他のネットワークエンティティとを含み得る。ＭＳＣ１３４は、ＲＡＮ１３０と通信し得、ボイスサービスをサポートし、回線交換呼のルーティングを行い、ＭＳＣ１３４によってサービスされるエリア内に位置するＵＥのモビリティ管理を実行し得る。相互作用機能（ＩＷＦ：Inter-Working Function）１４０は、ＭＭＥ１２６とＭＳＣ１３４との間の通信を可能にし得る。ＵＭＴＳおよびＧＳＭ中のネットワークエンティティは、３ＧＰＰから公に入手可能な文書に記載されている。１ｘＲＴＴＴ中のネットワークエンティティは、３ＧＰＰ２から公に入手可能な文書に記載されている。
【００１５】
簡単のために、図１には、ワイヤレスシステム１０２および１０４中のいくつかのネットワークエンティティのみを示す。ワイヤレスシステム１０２および１０４は、様々な機能およびサービスをサポートし得る他のネットワークエンティティをも含み得る。概して、任意の数のワイヤレスシステムが所与の地理的エリア中に展開され得る。各ワイヤレスシステムは、特定のＲＡＴをサポートし得、１つまたは複数の周波数上で動作し得る。周波数は、キャリア、周波数チャネルなどと呼ばれることもある。
【００１６】
いくつかのＵＥは、ワイヤレスシステム１０２および１０４のカバレージ全体にわたって分散され得る。簡単のために、図１にはただ１つのＵＥ１１０を示す。ＵＥ１１０は、固定でも移動でもよく、移動局、端末、アクセス端末、加入者ユニット、局などと呼ばれることもある。ＵＥ１１０は、セルラー電話、携帯情報端末（ＰＤＡ）、ワイヤレスモデム、ワイヤレス通信デバイス、ハンドヘルドデバイス、ラップトップコンピュータ、コードレス電話、ワイヤレスローカルループ（ＷＬＬ）局、スマートフォン、ネットブック、スマートブック、タブレットなどであり得る。
【００１７】
電源投入時に、ＵＥ１１０は、通信サービスを受信することができるワイヤレスシステムを探索し得る。複数のワイヤレスシステムが検出された場合、ＵＥ１１０をサービスするために、１つのワイヤレスシステム（たとえば、最高優先順位をもつワイヤレスシステム）が選択され得る。ＵＥ１１０は、必要な場合、選択されたワイヤレスシステムにアクセスし、登録を実行し得る。ＵＥ１１０をサービスするワイヤレスシステムはサービングシステムと呼ばれることがあり、残りのシステムは非サービングシステムと呼ばれることがある。ＵＥ１１０は、サービングシステムとアクティブに通信する（たとえば、データを送るおよび／またはデータを受信する）ために、接続モードで動作し得る。代替的に、ＵＥ１１０は、アクティブ通信がＵＥ１１０によって必要とされない場合、アイドルモードで動作し、サービングシステムにキャンプオンし得る。ＵＥ１１０は、サービングシステムのページングチャネルおよび／またはブロードキャストチャネルを周期的に読み取り、ならびに／あるいはサービングシステムにキャンプオンされている間に他のタスクを実行し得る。したがって、ＵＥ１１０は、異なる動作モードで異なる方法でサービングシステムと通信し得る。
【００１８】
ワイヤレスシステムは、ワイヤレスシステム上のＵＥによる動作をサポートするのに使用される様々なパラメータを搬送するためにシステム情報を周期的に送信し得る。異なるワイヤレスシステムは、異なる方法でシステム情報を送信し得る。
【００１９】
ＬＴＥシステムでは、システム情報は、システム情報の効率的な送信および受信を可能にするために、マスタ情報ブロック（ＭＩＢ：master information block）と、いくつかのシステム情報ブロック（ＳＩＢ：system information block）とに区分され得る。ＭＩＢは、ｅＮＢ／基地局から他の情報を獲得するために使用される限られた数の必須パラメータを含み得る。Ｋ個のＳＩＢが定義され得、システム情報ブロックタイプ１〜Ｋ、またはＳＩＢ１〜ＳＩＢＫと呼ばれることがある。概して、Ｋは、任意の整数値、たとえば、ＬＴＥリリース８の場合はＫ＝１１であり得る。各ＳＩＢは、ＵＥによる動作をサポートするためにパラメータの特定のセットを搬送し得る。ＳＩＢ１は、システム情報（ＳＩ：system information）メッセージならびにＳＩＢとＳＩメッセージとのマッピングのためのスケジューリング情報を搬送し得る。ＭＩＢは、４０ミリ秒（ｍｓ）の固定スケジュールで周期的に送信され得る。ＳＩＢ１は、８０ｍｓの周期性で送信され得る。各残りのＳＩＢは、ＳＩＢ１中のスケジューリング情報によって示される周期性で送信され得る。
【００２０】
異なるワイヤレスシステムは、異なる能力を有し得、異なる通信サービスをサポートし得る。たとえば、ＬＴＥシステムなどのいくつかのワイヤレスシステムは、パケット交換（ＰＳ：packet switched）サービスのみをサポートし得、回線交換（ＣＳ：circuit switched）サービスをサポートしないことがある。ＣＳサービスをサポートしないＰＳ専用対応（PS-only capable）システムでは、ＵＥがＣＳ対応システムに「フォールバック」することを可能にするためのいくつかの機構が標準化されており、一般にＣＳフォールバック（ＣＳＦＢ：CS fallback）機構と呼ばれる。１つのＣＳＦＢ機構では、ＰＳ専用対応ＲＡＮが、ＵＥへのリダイレクションコマンドを用いて接続リリースを発行し得る。ＵＥは、次いで、ＰＳ専用対応ＲＡＮから切断し、ＣＳ対応ＲＡＮへのアクセス手順を開始する必要がある。アクセス手順を開始する前に、ＵＥは、システム情報を受信し、アクセス手順を実行するための関連情報を与えるアクセスパラメータを取得するために、ＣＳ対応ＲＡＮのブロードキャストチャネルを読み取る必要がある。システム情報が提供されず、（ＵＥまたはＣＳ対応ＲＡＮによってサポートされないことがある）リダイレクションコマンドとともに「トンネリング」されない限り、ＵＥは、システム情報を受信するためにそれの無線をＣＳ対応ＲＡＮのブロードキャストチャネルに同調させなければならなくなる。しかしながら、ＣＳ対応ＲＡＮは、システム情報を周期的に（一般に数秒までの間隔で）送信し得るにすぎない。ＵＥは、次いで、ＣＳ対応ＲＡＮのシステム情報を受信するためにある程度の時間量を必要とすることになり、その場合、ＣＳ対応ＲＡＮへのアクセスが遅延することがある。
【００２１】
リダイレクションコマンドを用いて接続リリースを受信した後にＣＳ対応ＲＡＮのシステム情報を読み取ることは、ＵＥが、ＣＳ対応ＲＡＮ上にキャンプオンされ、システム情報を断続的に読み取り、したがって最新のアクセスパラメータの準備が常にできている場合と比較して、より長い呼設定遅延を生じ得る。エンドユーザエクスペリエンスは、より長い呼設定遅延により劣化されることになる。エンドユーザは、既存のＲＡＮ（たとえば、第２世代（２Ｇ）および第３世代（３Ｇ）ＲＡＮ）と比較して呼設定遅延の劣化を受け入れる用意がないことがあるので、これは、ＰＳ専用対応ＲＡＮ（たとえば、Ｅ−ＵＴＲＡＮ）を展開するときに特に問題になり得る。
【００２２】
一態様では、ＵＥは、サービングシステム（たとえば、ＰＳ専用対応システム）上で動作し得、１つまたは複数の非サービングシステムのシステム情報を、たとえば、バックグラウンドタスクとして周期的に読み取り得る。ＵＥは、その場合、非サービングシステムにアクセスするために、もし必要とされるときに、アクセスパラメータを有し得る。これは、ＵＥが非サービングシステムを対象とするとき、呼設定遅延を低減し得る。
【００２３】
ワイヤレスシステムへのアクセスは、ＵＥが、ＵＥとワイヤレスシステムとの間で（たとえば、ＣＳ呼またはＰＳ呼をセットアップする、登録情報を更新するなどのための）シグナリングおよび／またはユーザデータを交換する目的で接続を確立したいという要求をワイヤレスシステムに送ることを指すことがある。ただし、アクセスはまた、ＵＥが、ワイヤレスシステムにサイレントにキャンプオンしていること（たとえば、ワイヤレスシステムからブロードキャストシグナリングを受信するが、必要とされない場合はワイヤレスシステムに何も返送しないこと）を指すことがある。ＵＥは、ワイヤレスシステムによってブロードキャストされたシステム情報から取得され得る１つまたは複数のアクセスパラメータに基づいてワイヤレスシステムへのアクセスを実行し得る。たとえば、アクセスパラメータは、アクセス要求を送るのにどのアクセスチャネルおよび／またはリソースを使用すべきか、アクセス要求のために使用すべき送信電力レベルなどを示し得る。アクセルパラメータはまた、ランダムアクセス手順を助けるためのワイヤレスシステムに対する干渉レベル、条件が好適であるときのみセルへのアクセスを可能にするためのセル選択パラメータ、アクセスクラス禁止（access class barring）などのアクセス制限などを示し得る。異なるワイヤレスシステムが、これらのワイヤレスシステムによってブロードキャストされるシステム情報によって与えられ得るアクセスパラメータの異なるセットに関連付けられ得る。
【００２４】
図２に、非サービングシステムのシステム情報を読み取り、キャッシュされたシステム情報に基づいて非サービングシステムにアクセスする設計を示す。ＵＥ１１０は、最初に、サービングシステム（たとえば、ＬＴＥシステムなどのＰＳ専用対応システム）上で動作し得る。ＵＥ１１０は、時間Ｔ１と時間Ｔ２との間に１つまたは複数の非サービングシステム（たとえば、ＣＳ対応システム）のシステム情報を読み取り得る。１つの設計では、ＵＥ１１０は、サービングシステムとの通信を中断することなしに、（１つまたは複数の）非サービングシステムのシステム情報をバックグラウンドタスクとして読み取り得る。別の設計では、ＵＥ１１０は、（１つまたは複数の）非サービングシステムのシステム情報を読み取るためにサービングシステムとの通信を瞬間的に中断し得、その後、サービングシステムとの通信を再開し得る。いずれの設計でも、ＵＥ１１０は、（１つまたは複数の）非サービングシステムのうちのいずれか１つにアクセスするために、もし必要とされるときに、すぐに利用可能なように（１つまたは複数の）非サービングシステムのシステム情報容易をキャッシュし得る。
【００２５】
ＵＥ１１０は、（１つまたは複数の）非サービングシステムのシステム情報を周期的に読み取り得、時間Ｔ３と時間Ｔ４との間に再びそうし得る。ＵＥ１１０は、（１つまたは複数の）非サービングシステムからのシステム情報の各読取り後に、（１つまたは複数の）非サービングシステムのためにキャッシュされたシステム情報を更新し得る。
【００２６】
ＵＥ１１０は、時間Ｔ５において現在のサービングシステムから特定の非サービングシステムに切り替えるという指示を受信し得る。ＵＥ１１０は、次いで、非サービングシステムのためにＵＥ１１０によってキャッシュされたシステム情報に基づいて非サービングシステムにアクセスし得る。これは、より短い呼設定遅延を生じ得る。
【００２７】
ＵＥ１１０は、様々な方法で非サービングシステムのシステム情報を読み取り得る。１つの設計では、ＵＥ１１０は、周囲のワイヤレスシステムを自律的に走査し得、検出されたワイヤレスシステムのシステム情報を読み取り得る。別の設計では、ＵＥ１１０は、サービングシステムによってブロードキャストされたネイバー情報を受信し得、ネイバー情報によって識別される非サービングシステムのシステム情報を読み取り得る。いずれの設計でも、ＵＥ１１０は、非サービングシステムのシステム情報を時々（たとえば、Ｘ秒ごとに）読み取り得る。システム情報の読取り間の時間間隔は、ＵＥ１１０の電力消費が悪影響を受けず、ＵＥ１１０の全体的な待機時間が許容できるままであるように選択され得る。
【００２８】
ＵＥ１１０は、読取り間に非サービングシステムのシステム情報をキャッシュし得る。１つの設計では、ＵＥ１１０は、１つまたは複数の非サービングシステム中で特定の数のネイバーセルのためのシステム情報をキャッシュし得る。別の設計では、ＵＥは、たとえば、特定のしきい値を上回る、十分な信号強度をもつネイバーセルのためのシステム情報をキャッシュし得る。いずれの設計でも、ＣＳＦＢがトリガされた場合、ＵＥ１１０は、ＵＥ１１０がハンドオーバされ得る利用可能な最良のセルを走査し得る。この利用可能な最良のセルは、ＵＥ１１０によって検出された非サービングシステム中で最も強いセルであり得るか、または他の基準に基づいて選択され得る。最良の利用可能なセルが、ＵＥ１１０によってキャッシュされる非サービングシステム中に属する場合、ＵＥ１１０は、キャッシュされたアクセスパラメータを使用してこのセルにアクセスし、それによってこの時点でシステム情報を読み取ることの遅延を回避し得る。
【００２９】
ＵＥ１１０は、様々な方法で非サービングシステムのキャッシュされたシステム情報を使用し得る。１つの設計では、ＵＥ１１０は、システム情報がいつ読み取られたかにかかわらず、非サービングシステムのためにキャッシュされたシステム情報に基づいて（たとえば、ＣＳＦＢがトリガされたときに）その非サービングシステムにアクセスしようと常に試み得る。この設計では、システムアクセスが失敗した場合、ＵＥ１１０は、非サービングシステムの現在のシステム情報を読み取り得、現在のアクセスパラメータを用いてシステムにアクセスしようと再び試み得る。別の設計では、ＵＥ１１０は、キャッシュされたシステム情報が有効である場合（たとえば、古すぎない場合）にのみ、非サービングシステムのキャッシュされたシステム情報をアクセスのために使用し得る。たとえば、システム情報の最後の読取りからの時間量が特定の時間しきい値を超える場合、キャッシュされたシステム情報は有効でない（たとえば、古すぎる）と見なされ得る。キャッシュされたシステム情報が有効でない場合、ＵＥ１１０は、非サービングシステムにアクセスする前に現在のシステム情報を読み取り得る。この設計は、たとえば、ＵＥ１１０が接続モードで動作しており、システム情報を読み取る機会がないとき、ＵＥ１１０がシステム情報を周期的に読み取ることができない場合を防ぐために使用され得る。
【００３０】
ＵＥ１１０は、様々な方法で非サービングシステムのシステム情報を周期的に読み取り得る。１つの設計では、システム情報読取りの周期性は、固定であり、常に適用可能であり得る。固定周期性は、ＵＥ１１０がシステム情報を読み取るために利用可能な時間量、電力消費量と呼設定遅延との間の所望のトレードオフなど、様々な基準に基づいて選択され得る。
【００３１】
別の設計では、システム情報読取りの周期性は、可変であり得、様々な基準に基づいて選択され得る。１つの設計では、システム情報読取りの可変周期性は、セル変更間の時間、全地球測位システム（ＧＰＳ）情報、無線状態（radio conditions）、動きセンサ、加速度計、および／またはＵＥ１１０上の他のセンサの変化、あるいはワイヤレスシステムからのサポート情報などの様々なメトリックに基づいて推定され得るＵＥ１１０の速度に依存し得る。別の設計では、システム情報読取りの可変周期性は、ハンドオーバのための候補セル、ＵＥ１１０のサービングセルなどの無線状態に依存し得る。たとえば、ＵＥ１１０は、強い候補セルについてはより高い頻度で、より弱い候補セルについてはより低い頻度でシステム情報読取りを実行し得る。ＵＥ１１０はまた、サービングセルが強いときはより低い頻度で、サービングセルがより弱いときはより高い頻度でシステム情報読取りを実行し得る。ＵＥ１１０はまた、あるしきい値よりも弱い候補セルについてのシステム情報読取りを無効化し得る。
【００３２】
ＵＥ１１０は、アイドルモードまたは接続モードで動作している間、非サービングシステムのシステム情報を読み取り得る。ＵＥ１１０は、アイドルモードおよび接続モードで異なる方法でおよび／または異なる時間にシステム情報読取りを実行し得る。
【００３３】
図３に、アイドルモードにあるＵＥ１１０によるシステム情報読取りを示す。ＵＥ１１０は、サービングシステムとのアクティブ通信が必要とされないとき、アイドルモードで動作し得る。アイドルモードにある間、ＵＥ１１０は、サービングシステムからのページングおよび／または他のメッセージを監視するために、それのページングオケージョン（または起動期間）中に周期的に起動し得、ページングオケージョン間の時間中にスリープし得る。ＵＥ１１０はまた、ページングオケージョン中に非サービングシステムのシステム情報を読み取り得る。したがって、システム情報読取りは、サービングシステムのページングチャネルおよび／またはブロードキャストチャネルを読み取る周期起動タスク上にピギーバック（piggybacked）され得る。
【００３４】
図４に、接続モードにあるＵＥ１１０によるシステム情報読取りを示す。ＵＥ１１０は、サービングシステムとのアクティブ通信のために接続モードで動作し得る。接続モードでは、ＵＥ１１０は、データがサービングシステムによってＵＥ１１０に送信されない間欠受信（ＤＲＸ：discontinuous reception）期間で構成され得る。１つの設計では、ＵＥ１１０は、それのＤＲＸ期間中に非サービングシステムのシステム情報を読み取り得る。この設計は、ＵＥ１１０が所与の時間にただ１つのワイヤレスシステムを受信することができる場合に特に適用可能であり得る。別の設計では、ＵＥ１１０は、サービングシステムと通信し、同時に非サービングシステムのシステム情報をも読み取り得る。この設計では、非サービングシステムのシステム情報の読取りは、サービングシステム上のデータアクティビティとは無関係にスケジュールされ得る。この設計は、ＵＥ１１０が２つのワイヤレスシステムを同時に受信することが可能であるときに適用可能であり得る。この能力は、（ｉ）ＵＥ１１０によって独立して動作され得る複数の受信機、または（ｉｉ）受信ダイバーシティ経路がＵＥ１１０によって独立して同調され得るダイバーシティ受信機によって与えられ得る。
【００３５】
ＵＥ１１０は、非サービングシステムのシステム情報の一部または全部を読み取り得る。１つの設計では、ＵＥ１１０は、システム情報がどのくらいの頻度でブロードキャストされるのか、システム情報が変化した可能性がどの程度であるのか、ＵＥ１１０が、（たとえば、過去の経験に基づいて）専用接続上でどんな方法でも１回システム情報を受信する可能性がどの程度であるのか、および／または他のファクタなど、様々なファクタに基づいて、システム情報のいくつかの部分のみ（たとえば、いくつかのＳＩＢのみ）を読み取ることを決定し得る。
【００３６】
ＵＥ１１０は、非サービングシステムのシステム情報を読み取り済みであり得、システム情報をキャッシュ済みであり得る。キャッシュされたシステム情報は、それがＵＥ１１０によって読み取られてから変化していることがあり得る。このシナリオは様々な方法で対処され得る。
【００３７】
１つの設計では、ＵＥ１１０は、ＵＥ１１０がシステムアクセスを実行し得る候補セルのＭＩＢを常に復号し得る。ＵＥ１１０は、次いで、そのセルのＭＩＢに基づいて、各候補セルのためにＵＥ１１０によってキャッシュされたＳＩＢが現在のものであるかどうかを判断し得る。所与のＳＩＢの各バージョンは、そのＳＩＢ中のシステム情報が変更されたときはいつでも更新され得る（たとえば、１だけ増分され得る）値タグに関連付けられ得る。候補セルのＭＩＢは、そのセルの各ＳＩＢの現在のバージョンの値タグを含み得る。ＵＥ１１０は、（もしあれば）ＳＩＢの値タグに基づいて、どのＳＩＢが変化したかを判断し得る。ＵＥ１１０によってキャッシュされた所与のＳＩＢｘについて、ＵＥ１１０は、ＳＩＢｘのキャッシュバージョンが最新であるかどうかを判断するために、現在のバージョンのＳＩＢｘのためのＭＩＢから取得された値タグを、ＳＩＢｘのキャッシュバージョンから取得された値タグと比較し得る。この設計の場合、ＵＥ１１０は、システムアクセスを実行するより前に、候補セルのＭＩＢを常に読み取り得る。しかしながら、このＭＩＢ読取りには、たとえば、数百ミリ秒程度の短い時間しかからないことがある。この短いＭＩＢ読取り時間は、たとえば、最長１．２８秒であり得るＳＩＢ読取り時間よりもはるかに短くなり得る。ＵＥ１１０は、それ自体で候補セルのＭＩＢスケジュールを判断し得、またはサービングシステムからのシグナリングを介してＭＩＢスケジュールを通知され得る。
【００３８】
別の設計では、サービングシステムは、非サービングシステムのシステム情報が変化したとき、ＵＥ１１０に通知し得る。ＵＥ１１０は、次いで、サービングシステムによって通知されたとき、非サービングシステムのシステム情報を読み取り得る。サービングシステムは、様々な方法で非サービングシステムのシステム情報の変化をＵＥ１１０に通知し得る。１つの設計では、新しいＳＩＢが定義され得、インターＲＡＴ（ＩＲＡＴ：inter-RAT）ネイバーＳＩＢ更新（「ＩＲＡＴ  Ｎｂｒ  ＳＩＢ更新：IRAT neighbor SIB update」）」）と呼ばれることがある非サービングシステムのシステム情報への変化の通知を含み得る。この新しいＳＩＢはネイバーＳＩＢと呼ばれることがある。
【００３９】
ＳＩＢ更新手順は、所与のＳＩＢのコンテンツが変化したときはいつでも示し得る。１つの設計では、ネイバーＳＩＢは、特定のＲＡＴ上の特定のセルのＳＩＢが変化したことを示すために、ＲＡＴ（たとえば、ＵＴＲＡＮ、ＧＥＲＡＮなど）ごとのセルごとのすべてＳＩＢのインジケータを含み得る。ネイバーＳＩＢはまた、ターゲットＲＡＴ上にサービングセル基準時間とＳＩＢ送信時間との間のタイミングオフセットを含み得る。ネイバーＳＩＢの使用により、ＵＥ１１０は、サービングシステムのネイバーＳＩＢが、非サービングシステムのシステム情報が変化したことを示すときのみ、非サービングシステムのシステム情報を読み取ることが可能になり得る。ＵＥ１１０は、次いで、非サービングシステムのシステム情報を読み取るためにサービングシステムからの周期離調を回避し得る。
【００４０】
本明細書で説明する技法は、システムアクセスの呼設定遅延を実質的に低減し得る。これは、（たとえば、バックグラウンドタスクとしてオフラインで）非サービングシステムのシステム情報を周期的に読取り、ＵＥ１１０においてシステム情報をキャッシュすることによって達成され得る。ＵＥ１１０は、次いで、キャッシュされたシステム情報中のアクセスパラメータを使用してシステムアクセスを実行し得、それにより、システムアクセスがトリガされたときにシステム情報を読み取らなければならないことの遅延を回避し得る。本明細書で説明する技法は、様々な理由によりシステムアクセスのために使用され得、リダイレクションコマンドを用いて接続リリースによってトリガされるＣＳＦＢのために特に適用可能であり得る。
【００４１】
図５に、キャッシュされたシステム情報に基づいてシステムアクセスを実行するためのプロセス５００の設計を示す。プロセス５００は、（以下で説明するように）ＵＥによって、または何らかの他のエンティティによって実行され得る。ＵＥは、サービングシステムと通信する（ブロック５１２）。ＵＥは、少なくとも１つの非サービングシステムのシステム情報を読み取り（ブロック５１４）、ＵＥにおいて少なくとも１つの非サービングシステムのシステム情報をキャッシュ（すなわち、記憶）する（ブロック５１６）。その後、ＵＥは、キャッシュされたシステム情報に基づいて、少なくとも１つの非サービングシステムの中から非サービングシステムにアクセスする（ブロック５１８）。
【００４２】
サービングシステムおよび非サービングシステムは、任意の能力を有し、任意の通信サービスを提供する任意のワイヤレスシステムであり得る。１つの設計では、サービングシステムはＰＳサービスのみをサポートし得、少なくとも１つの非サービングシステムはＣＳサービスをサポートし得る。１つの設計では、ＵＥは、ＣＳフォールバックのためのリダイレクションコマンドを用いて接続リリースを受信し得、次いで、このコマンドに応答して非サービングシステムへのアクセスを開始し得る。ＵＥは、このコマンドを受信した後に、非サービングシステムのシステム情報を読み取ることをスキップし得る。他の設計では、ＵＥは、他のトリガイベントに応答して非サービングシステムへのアクセスを開始し得る。
【００４３】
１つの設計では、ＵＥは、ＵＥにおいて構成されるか、またはサービングシステムによって与えられ得る固定の周期性で少なくとも１つの非サービングシステムのシステム情報を読み取り得る。別の設計では、ＵＥは、構成可能な周期性で少なくとも１つの非サービングシステムのシステム情報を読み取り得る。ＵＥは、ＵＥの速度、または（１つまたは複数の）非サービングシステム中のセルの無線状態、またはＵＥのターゲット待機時間、または何らかの他の基準、またはそれらの組合せに基づいて、少なくとも１つの非サービングシステムのシステム情報読取りの周期性を判断し得る。
【００４４】
１つの設計では、ＵＥは、アイドルモードで動作し得、ブロック５１２においてサービングシステムにキャンプオンし得る。ＵＥは、図３に示すように、ブロック５１４において起動期間中に（１つまたは複数の）非サービングシステムのシステム情報を読み取り得る。別の設計では、ＵＥは、接続モードで動作し得、ブロック５１２においてサービングシステムとアクティブに通信する（たとえば、サービングシステムにデータを送るおよび／またはサービングシステムからデータを受信する）ことを行い得る。ＵＥは、図４に示すように、ブロック５１４においてＤＲＸ期間中に（１つまたは複数の）非サービングシステムのシステム情報を受信し得る。ＵＥはまた、ブロック５１４において（１つまたは複数の）非サービングシステムのシステム情報を読み取るためにサービングシステムから周期的に離調し得る。ＵＥはまた、サービングシステムとのアクティブな通信を中断する必要なしに、別個の受信経路に基づいて（１つまたは複数の）非サービングシステムのシステム情報を読み取り得る。
【００４５】
１つの設計では、ＵＥは、（１つまたは複数の）非サービングシステムのシステム情報をバックグラウンドタスクとして読み取り得る。ＵＥはまた、（１つまたは複数の）非サービングシステム中の所定の数のネイバーセルの、またはＵＥにおいて特定のしきい値を上回る信号強度をもつネイバーセルの、または他の方法で選択されるネイバーセルのシステム情報を読み取り得る。
【００４６】
１つの設計では、ＵＥは、たとえば、非サービングシステムにアクセスする指示がＵＥによって取得されるとき、キャッシュされたシステム情報が有効であるかどうかを判断し得る。ＵＥは、キャッシュされたシステム情報が（ｉ）システム情報の最後の読取りからの経過時間が特定のしきい値よりも小さい場合は有効であり、（ｉｉ）そうでない場合は有効でないと判断し得る。ＵＥはまた、キャッシュされたシステム情報が有効であるかどうかを他の基準に基づいて判断し得る。それが有効である場合、ＵＥは、非サービングシステムを評価するために、キャッシュされたシステム情報を使用し得る。ＵＥは、キャッシュされたシステム情報が有効でない場合、非サービングシステムの現在のシステム情報を読み取り、非サービングシステムを評価するために現在のシステム情報を使用し得る。
【００４７】
１つの設計では、ＵＥは、非サービングシステムにアクセスする前に非サービングシステム中の少なくとも１つの候補セルの少なくとも１つのＭＩＢを読み取り得る。ＵＥは、少なくとも１つのＭＩＢに基づいて、キャッシュされたシステム情報が変化したかどうかを判断し得る。ＵＥは、キャッシュされたシステム情報が変化していない場合、非サービングシステムにアクセスするためにキャッシュされたシステム情報を使用し得る。ＵＥは、キャッシュされたシステム情報が変化した場合、非サービングシステムの現在のシステム情報を読み取り得る。
【００４８】
別の設計では、ＵＥは、サービングシステムから、（１つまたは複数の）非サービングシステムのシステム情報が変化したかどうかを示すネイバー情報を受信し得る。ＵＥは、ネイバー情報が（１つまたは複数の）非サービングシステムのシステム情報が変化したことを示す場合、（１つまたは複数の）非サービングシステムのシステム情報を読み取り得る。別の設計では、ＵＥは、（１つまたは複数の）非サービングシステム中のネイバーセル、またはネイバーセルのタイミング、またはネイバーセルの周波数、またはサービングシステム中のサービングセルと（１つまたは複数の）非サービングシステム中の少なくとも１つのネイバーセルとの間の少なくとも１つのタイミングオフセット、または何らかの他の情報、またはそれらの組合せを示すネイバー情報を受信し得る。次いで、ＵＥは、ネイバー情報に基づいて（１つまたは複数の）非サービングシステムのシステム情報を読み取り得る。
【００４９】
ブロック５１８の１つの設計では、ＵＥは、キャッシュされたシステム情報に基づいて少なくとも１つのアクセスパラメータを判断し得、少なくとも１つのアクセスパラメータに基づいて非サービングシステムを評価し得る。システムアクセスの１つの設計では、ＵＥは、（１つまたは複数の）非サービングシステム中の少なくとも１つのネイバーセルを検出し得、少なくとも１つのネイバーセルの中からＵＥがアクセスするための候補セルを識別し得る。ＵＥは、キャッシュされたシステム情報が候補セルに適用可能であるかどうかを判断し得る。次いで、ＵＥは、候補セルに適用可能である場合、キャッシュされたシステム情報に基づいて候補セルにアクセスし得る。
【００５０】
図６に、ＵＥによる非サービングシステムのシステム情報の読取りをサポートするためのプロセス６００の設計を示す。プロセス６００は、（以下で説明するように）第１のワイヤレスシステム中の第１のセルによって、または何らかの他のエンティティによって実行され得る。第１のセルは、ＵＥと通信する（ブロック６１２）。第１のセルは、少なくとも１つの他のワイヤレスシステムに関係するネイバー情報を生成する（ブロック６１４）。ネイバー情報は、（１つまたは複数の）他のワイヤレスシステムのシステム情報が変化したかどうか、または（１つまたは複数の）他のワイヤレスシステム中のネイバーセル、またはネイバーセルのタイミング、またはネイバーセルの周波数、または第１のセルと少なくとも１つのネイバーセルとの間の少なくとも１つのタイミングオフセット、またはそれらの組合せを示し得る。第１のセルは、（１つまたは複数の）他のワイヤレスシステムのシステム情報を読み取るためにＵＥおよび他のＵＥによって使用されるネイバー情報をブロードキャストする（ブロック６１６）。
【００５１】
概して、第１のワイヤレスシステムおよび（１つまたは複数の）他のワイヤレスシステムは、任意の能力を有し得、任意の通信サービスをサポートし得る。１つの設計では、第１のワイヤレスシステムはＰＳサービスのみをサポートし得、（１つまたは複数の）他のワイヤレスシステムはＣＳサービスをサポートし得る。
【００５２】
図７に、ワイヤレス通信をサポートする装置７００のハードウェア実装形態の一部を示す。装置７００は、回路を含み、ＵＥまたは何らかの他のエンティティの１つの構成であり得る。本明細書および添付の特許請求の範囲では、「回路」という用語は、機能上の用語ではなく構造上の用語として解釈される。たとえば、回路は、図７に図示および説明するものなど、処理および／またはメモリセル、ユニット、ブロックなどの形態の回路構成要素の集合体、たとえば、多数の集積回路構成要素であり得る。
【００５３】
装置７００は、いくつかの回路を互いにリンクする中央データバス７０２を備える。回路は、プロセッサ７０４と、受信回路７０６と、送信回路７０８と、メモリ７１０とを含む。メモリ７１０は、プロセッサ７０４と電子通信しており、したがって、プロセッサ７０４は、メモリ７１０からの情報の読取りおよび／またはメモリ７１０への情報の書込みを行い得る。プロセッサ７０４は、汎用プロセッサ、中央処理装置（ＣＰＵ：central processing unit）、マイクロプロセッサ、デジタル信号プロセッサ（ＤＳＰ：digital signal processor）、コントローラ、マイクロコントローラ、状態機械（state machine）、特定用途向け集積回路（ＡＳＩＣ：application specific integrated circuit）、プログラマブル論理デバイス（ＰＬＤ：programmable logic device）、フィールドプログラマブルゲートアレイ（ＦＰＧＡ：field programmable gate array）などであり得る。プロセッサ７０４は、処理デバイスの組合せ、たとえば、ＤＳＰとマイクロプロセッサとの組合せ、複数のマイクロプロセッサ、ＤＳＰコアと連携する１つまたは複数のマイクロプロセッサ、あるいは他のそのような構成を含み得る。
【００５４】
受信回路７０６および送信回路７０８は、無線周波数（ＲＦ）回路（図７に図示せず）に接続され得る。受信回路７０６は、受信信号を処理し、バッファした後、その信号をデータバス７０２に送り得る。送信回路７０８は、データバス７０２からのデータを処理し、バッファした後、装置７００からそのデータを送り得る。プロセッサ７０４は、データバス７０２のデータ管理の機能、さらに、メモリ７１０の命令コンテンツを実行することを含む、一般的なデータ処理の機能を実行し得る。送信回路７０８および受信回路７０６は、（図７に示すように）プロセッサ７０４の外部にあり得、またはプロセッサ７０４の一部であり得る。
【００５５】
メモリ７１０は、本明細書で説明する方法を実装するためにプロセッサ７０４によって実行可能な命令のセット７１２を記憶する。命令７１２は、サービングシステムと通信するためのコード７１４と、非サービングシステムのシステム情報を読み取るためのコード７１４と、非サービングシステムのシステム情報をキャッシュするためのコード７１６と、キャッシュされたシステム情報に基づいて非サービングシステムにアクセスするためのコード７１８とを含み得る。命令７１２は、他の機能のための他のコードを含み得る。
【００５６】
メモリ７１０に示す命令７１２は、任意のタイプの（１つまたは複数の）コンピュータ可読ステートメントを備え得る。たとえば、メモリ７１０中の命令７１２は、１つまたは複数のプログラム、ルーチン、サブルーチン、モジュール、関数、プロシージャ、データセットなどを指すことがある。命令７１２は、単一のコンピュータ可読ステートメントまたは多くのコンピュータ可読ステートメントを備え得る。
【００５７】
メモリ７１０は、ＲＡＭ（ランダムアクセスメモリ）回路であり得る。メモリ７１０は、揮発性タイプまたは不揮発性タイプのいずれかであり得る別のメモリ回路（図示せず）に結合され得る。代替として、メモリ７１０は、ＥＥＰＲＯＭ（電気消去可能プログラマブル読取り専用メモリ：Electrically Erasable Programmable Read Only Memory）、ＥＰＲＯＭ（電気プログラマブル読取り専用メモリ：Electrical Programmable Read Only Memory）、ＲＯＭ（読取り専用メモリ）、ＡＳＩＣ（特定用途向け集積回路）、磁気ディスク、光ディスク、および当技術分野でよく知られている他のものなど、他の回路タイプから製造され得る。メモリ７１０は、命令７１２を記憶したコンピュータ可読媒体を備えるコンピュータプログラム製品の例であると見なされ得る。
【００５８】
図８に、ワイヤレス通信をサポートする装置８００のハードウェア実装形態の一部を示す。装置８００は、回路を含み、基地局／ｅＮＢまたは何らかの他のエンティティの１つの構成であり得る。装置８００は、中央データバス８０２と、プロセッサ８０４と、受信回路８０６と、送信回路８０８と、メモリ８１０とを備え、それらは、図７の中央データバス７０２と、プロセッサ７０４と、受信回路７０６と、送信回路７０８と、メモリ７１０とについて上記で説明したように実装され得る。
【００５９】
メモリ８１０は、本明細書で説明する方法を実装するためにプロセッサ８０４によって実行可能な命令のセット８１２を含む。命令８１２は、ＵＥと通信するためのコード８１４と、少なくとも１つの他のワイヤレスシステムに関係するネイバー情報を生成するためのコード８１６と、ネイバー情報をブロードキャストするためのコード８１８とを含み得る。ネイバー情報は、少なくとも１つの他のワイヤレスシステムのシステム情報を読み取るためにＵＥおよび他のＵＥによって使用され得る。命令８１２は、他の機能のための他のコードを含み得る。
【００６０】
図９に、基地局１５０およびＵＥ１１０の設計のブロック図を示す。基地局１５０は、図１のｅＮＢ１２２または基地局１３２に対応し得る。この設計では、基地局１５０はＴ個のアンテナ９３４ａ〜９３４ｔを装備し、ＵＥ１１０はＲ個のアンテナ９５２ａ〜９５２ｒを装備し、一般にＴ≧１およびＲ≧１である。本明細書で説明する技法は、多入力多出力（ＭＩＭＯ：multiple-input multiple-output）機能を用いて使用されることも、用いずに使用されることもある。ＭＩＭＯ機能のある基地局１５０およびＵＥ１１０の例示的な設計について以下で説明する。
【００６１】
基地局１５０において、送信プロセッサ９２０は、データソース９１２から１つまたは複数のＵＥのデータを受信し、各ＵＥのデータを処理（たとえば、符号化、インターリーブ、および変調）し、すべてのＵＥのデータシンボルを与え得る。送信プロセッサ９２０はまた、コントローラ／プロセッサ９４０からのシステム情報（たとえば、ＭＩＢ、ＳＩＢなど）と（たとえば、アクセス手順についての）制御情報とを処理し、オーバーヘッドシンボルを与え得る。送信（ＴＸ）ＭＩＭＯプロセッサ９３０は、データシンボル、オーバーヘッドシンボル、および基準シンボルを多重化し得る。ＴＸ  ＭＩＭＯプロセッサ９３０は、適用可能な場合、多重化されたシンボルに対してプリコーディングを実行し得、Ｔ個の出力シンボルストリームをＴ個の変調器（ＭＯＤ）９３２ａ〜９３２ｔに供給し得る。各変調器９３２は、出力サンプルストリームを取得するために、（たとえば、ＯＦＤＭの）それぞれの出力シンボルストリームを処理し得る。各変調器９３２はさらに、出力サンプルストリームを処理（たとえば、アナログへの変換、増幅、フィルタ処理、およびアップコンバート）して、ダウンリンク信号を取得し得る。変調器９３２ａ〜９３２ｔからのＴ個のダウンリンク信号は、それぞれＴ個のアンテナ９３４ａ〜９３４ｔを介して送信され得る。
【００６２】
ＵＥ１１０において、アンテナ９５２ａ〜９５２ｒは、基地局１５０および他の基地局からダウンリンク信号を受信し得、受信信号をそれぞれ復調器（ＤＥＭＯＤ）９５４ａ〜９５４ｒに供給し得る。各復調器９５４は、それぞれの受信信号を調整（たとえば、フィルタ処理、増幅、ダウンコンバート、およびデジタル化）して、受信サンプルを取得し得る。各復調器９５４は、さらに（たとえば、ＯＦＤＭの）受信サンプルを処理して受信シンボルを取得し得る。ＭＩＭＯ検出器９５６は、すべてのＲ個の復調器９５４ａ〜９５４ｒから受信シンボルを取得し、適用可能な場合は受信シンボルに対してＭＩＭＯ検出を実行し、検出されたシンボルを供給し得る。受信プロセッサ９５８は、検出されたシンボルを処理（たとえば、復調、デインターリーブ、および復号）し、ＵＥ１１０の復号されたデータをデータシンク９６０に供給し、復号されたシステム情報と制御情報とをコントローラ／プロセッサ９８０に供給し得る。システム情報プロセッサ９８４は、非サービングシステムのシステム情報の読取りおよびキャッシングを実行または制御し得る。
【００６３】
アップリンク上では、ＵＥ１１０において、データソース９６２からのデータとコントローラ／プロセッサ９８０からの（たとえば、アクセス手順についての）制御情報とは、送信プロセッサ９６４によって処理され、適用可能な場合はＴＸ  ＭＩＭＯプロセッサ９６６によってプリコードされ、変調器９５４ａ〜９５４ｒによって調整され、基地局１５０に送信され得る。基地局１５０において、ＵＥ１１０および他のＵＥからのアップリンク信号は、アンテナ９３４によって受信され、復調器９３２によって調整され、適用可能な場合はＭＩＭＯ検出器９３６によって処理され、さらに受信プロセッサ９３８によって処理されて、ＵＥ１１０および他のＵＥによって送信されたデータおよび制御情報が取得され得る。
【００６４】
コントローラ／プロセッサ９４０および９８０は、それぞれ基地局１５０およびＵＥ１１０における動作を指示し得る。基地局１５０におけるプロセッサ９４０および／または他のプロセッサおよびモジュールは、図６のプロセス６００、および／または本明細書で説明する技法のための他のプロセスを実行または指示し得る。ＵＥ１１０におけるプロセッサ９８０および／または他のプロセッサおよびモジュールは、図５のプロセス５００、および／または本明細書で説明する技法のための他のプロセスを実行または指示し得る。メモリ９４２および９８２は、それぞれ基地局１５０およびＵＥ１１０のためのデータおよびプログラムコードを記憶し得る。スケジューラ９４４は、ダウンリンクおよび／またはアップリンク送信についてＵＥをスケジュールし得、スケジュールされたＵＥのリソースの割当てを行い得る。
【００６５】
本明細書で説明する機能は、ハードウェア、ソフトウェア、ファームウェア、またはそれらの組合せで実装され得る。ソフトウェアで実装した場合、機能は１つまたは複数の命令としてコンピュータ可読媒体に記憶され得る。「コンピュータ可読媒体」または「コンピュータプログラム製品」という用語は、コンピュータまたはプロセッサによってアクセスされ得る任意の有形記憶媒体を指す。限定ではなく例として、コンピュータ可読媒体は、ＲＡＭ、ＲＯＭ、ＥＥＰＲＯＭ、ＣＤ−ＲＯＭまたは他の光ディスク記憶デバイス、磁気ディスク記憶デバイスまたは他の磁気記憶デバイス、あるいは命令またはデータ構造の形態で所望のプログラムコードを記憶するために使用され得、コンピュータによってアクセスされ得る任意の他の媒体を備え得る。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ディスク（disk）は、通常、データを磁気的に再生し、ディスク（disc）は、データをレーザで光学的に再生する。
【００６６】
ソフトウェアまたは命令はまた、送信媒体を介して送信され得る。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、送信媒体の定義に含まれる。
【００６７】
本明細書で開示する方法は、説明した方法を達成するための１つまたは複数のステップまたはアクションを備える。本方法のステップおよび／またはアクションは、特許請求の範囲の範囲から逸脱することなく互いに交換され得る。言い換えれば、本明細書で説明する方法の適切な動作のためにステップまたはアクションの特定の順序が必要とされない限り、特定のステップおよび／またはアクションの順序および／または使用は、特許請求の範囲の範囲を逸脱することなく修正され得る。
【００６８】
特許請求の範囲は、上記に示した正確な構成および構成要素に限定されないことを理解されたい。特許請求の範囲の範囲を逸脱することなく、本明細書で説明したシステム、方法、および装置の構成、動作および詳細において、様々な改変、変更および変形を行い得る。
【００６９】
いかなるクレーム要素も、その要素が「手段」という語句を使用して明確に具陳されていない限り、または方法クレームの場合には、その要素が「ステップ」という語句を使用して具陳されていない限り、米国特許法第１１２条第６項の規定に基づいて解釈されるべきではない。
以下に、本願出願の当初の特許請求の範囲に記載された発明を付記する。
［Ｃ１］
ユーザ機器によってサービングシステムと通信することと、
少なくとも１つの非サービングシステムのシステム情報を読み取ることと、
前記ユーザ機器において前記少なくとも１つの非サービングシステムの前記システム情報をキャッシュすることと、
前記ユーザ機器によって前記キャッシュされたシステム情報に基づいて、前記少なくとも１つの非サービングシステムのうちの非サービングシステムにアクセスすることとを備える、ワイヤレス通信のための方法。
［Ｃ２］
前記サービングシステムがパケット交換（ＰＳ）サービスのみをサポートし、前記少なくとも１つの非サービングシステムが回線交換（ＣＳ）サービスをサポートする、Ｃ１に記載の方法。
［Ｃ３］
回線交換フォールバックのためのリダイレクションコマンドを用いて接続リリースを受信することと、
リダイレクションコマンドを用いた前記接続リリースに応答して前記非サービングシステムへのアクセスを開始することとをさらに備える、Ｃ２に記載の方法。
［Ｃ４］
システム情報を前記読み取ることは、前記ユーザ機器がアイドルモードにあり、前記サービングシステムにキャンプオンしているとき、起動期間中に前記少なくとも１つの非サービングシステムの前記システム情報を読み取ることを備える、Ｃ１に記載の方法。
［Ｃ５］
システム情報を前記読み取ることは、前記ユーザ機器が接続モードにあり、前記サービングシステムとアクティブに通信しているとき、間欠受信（ＤＲＸ）期間中に前記少なくとも１つの非サービングシステムの前記システム情報を読み取ることを備える、Ｃ１に記載の方法。
［Ｃ６］
システム情報を前記読み取ることは、前記ユーザ機器が接続モードにあるとき、前記サービングシステムとの接続を中断することなしに、前記ユーザ機器による別個の受信経路に基づいて前記少なくとも１つの非サービングシステムの前記システム情報を読み取ることを備える、Ｃ１に記載の方法。
［Ｃ７］
システム情報を前記読み取ることが、前記少なくとも１つの非サービングシステムの前記システム情報を前記ユーザ機器によるバックグラウンドタスクとして読み取ることを備える、Ｃ１に記載の方法。
［Ｃ８］
システム情報を前記読み取ることが、前記少なくとも１つの非サービングシステム中の所定の数のネイバーセル、または前記ユーザ機器において特定のしきい値を上回る信号強度をもつネイバーセル、またはその両方のシステム情報を読み取ることを備える、Ｃ１に記載の方法。
［Ｃ９］
前記ユーザ機器の速度、または前記少なくとも１つの非サービングシステム中のセルの無線状態、または前記ＵＥのターゲット待機時間、またはそれらの組合せに基づいて、前記少なくとも１つの非サービングシステムの前記システム情報を読み取ることの周期性を判断することをさらに備える、Ｃ１に記載の方法。
［Ｃ１０］
前記少なくとも１つの非サービングシステムの前記システム情報の全部または一部分を読み取るべきかどうかを判断することをさらに備える、Ｃ１に記載の方法。
［Ｃ１１］
前記キャッシュされたシステム情報が有効であるかどうかを判断することと、
前記キャッシュされたシステム情報が有効である場合、前記非サービングシステムを評価するために前記キャッシュされたシステム情報を使用することと、
前記キャッシュされたシステム情報が有効でない場合、前記非サービングシステムの現在のシステム情報を読み取り、前記現在のシステム情報を前記非サービングシステムを評価するために使用することとをさらに備える、Ｃ１に記載の方法。
［Ｃ１２］
前記キャッシュされたシステム情報が有効であるかどうかを判断することが、前記システム情報の最後の読取りからの経過時間が特定のしきい値よりも小さい場合、前記キャッシュされたシステム情報が有効であると判断することを備える、Ｃ１１に記載の方法。
［Ｃ１３］
前記非サービングシステムにアクセスするより前に前記非サービングシステム中の少なくとも１つの候補セルの少なくとも１つのマスタ情報ブロック（ＭＩＢ）を読み取ることと、
前記少なくとも１つのマスタ情報ブロックに基づいて前記キャッシュされたシステム情報が変化したかどうかを判断することと、
前記キャッシュされたシステム情報が変化していない場合、前記非サービングシステムにアクセスするために前記キャッシュされたシステム情報を使用することとをさらに備える、Ｃ１に記載の方法。
［Ｃ１４］
前記サービングシステムから、前記少なくとも１つの非サービングシステムの前記システム情報が変化したかどうかを示すネイバー情報を受信することをさらに備え、前記ネイバー情報が前記少なくとも１つの非サービングシステムの前記システム情報が変化したことを示す場合、システム情報を前記読み取ることが、前記少なくとも１つの非サービングシステムの前記システム情報を読み取ることを備える、Ｃ１に記載の方法。
［Ｃ１５］
前記サービングシステムから、前記サービングシステム中のサービングセルと前記少なくとも１つの非サービングシステム中の少なくとも１つのネイバーセルとの間の少なくとも１つのタイミングオフセットを示すネイバー情報を受信することをさらに備え、システム情報を前記読み取ることが、前記少なくとも１つのタイミングオフセットに基づいて前記少なくとも１つの非サービングシステムの前記システム情報を読み取ることを備える、Ｃ１に記載の方法。
［Ｃ１６］
前記サービングシステムから、前記少なくとも１つの非サービングシステム中のネイバーセル、または前記ネイバーセルのタイミング、または前記ネイバーセルの周波数、またはそれらの組合せを示すネイバー情報を受信することをさらに備え、システム情報を前記読み取ることが、前記ネイバー情報に基づいて前記少なくとも１つの非サービングシステムの前記システム情報を読み取ることを備える、Ｃ１に記載の方法。
［Ｃ１７］
前記非サービングシステムに前記アクセスすることが、
前記キャッシュされたシステム情報に基づいて少なくとも１つのアクセスパラメータを判断することと、
前記少なくとも１つのアクセスパラメータに基づいて前記非サービングシステムを評価することとを備える、Ｃ１に記載の方法。
［Ｃ１８］
前記非サービングシステムに前記アクセスすることが、
前記少なくとも１つの非サービングシステム中で少なくとも１つのネイバーセルを検出することと、
前記少なくとも１つのネイバーセルの中から前記ユーザ機器によるアクセスの候補セルを識別することと、
前記キャッシュされたシステム情報が前記候補セルに適用可能であるかどうかを判断することと、
前記候補セルに適用可能である場合、前記キャッシュされたシステム情報に基づいて前記候補セルにアクセスすることとを備える、Ｃ１に記載の方法。
［Ｃ１９］
ユーザ機器によってサービングシステムと通信するための手段と、
少なくとも１つの非サービングシステムのシステム情報を読み取るための手段と、
前記ユーザ機器において前記少なくとも１つの非サービングシステムの前記システム情報をキャッシュするための手段と、
前記ユーザ機器によって前記キャッシュされたシステム情報に基づいて、前記少なくとも１つの非サービングシステムのうちの非サービングシステムにアクセスするための手段とを備える、ワイヤレス通信のための装置。
［Ｃ２０］
システム情報を読み取るための前記手段は、前記ユーザ機器がアイドルモードにあり、前記サービングシステムにキャンプオンしている起動期間中、または前記ユーザ機器が接続モードにあり、前記サービングシステムとアクティブに通信している間欠受信（ＤＲＸ）期間中、またはその両方中に、前記少なくとも１つの非サービングシステムの前記システム情報を読み取るための手段を備える、Ｃ１９に記載の装置。
［Ｃ２１］
前記ユーザ機器の速度、または前記少なくとも１つの非サービングシステム中のセルの無線状態、または前記ＵＥのターゲット待機時間、またはそれらの組合せに基づいて、前記少なくとも１つの非サービングシステムの前記システム情報を読み取ることの周期性を判断するための手段をさらに備える、Ｃ１９に記載の装置。
［Ｃ２２］
前記キャッシュされたシステム情報が有効であるかどうかを判断するための手段と、
前記キャッシュされたシステム情報が有効である場合、前記非サービングシステムを評価するために前記キャッシュされたシステム情報を使用するための手段と、
前記キャッシュされたシステム情報が有効でない場合、前記非サービングシステムの現在のシステム情報を読み取り、前記非サービングシステムを評価するために前記現在のシステム情報を使用するための手段とをさらに備える、Ｃ１９に記載の装置。
［Ｃ２３］
前記非サービングシステムにアクセスするより前に前記非サービングシステム中の少なくとも１つの候補セルの少なくとも１つのマスタ情報ブロック（ＭＩＢ）を読み取るための手段と、
前記少なくとも１つのマスタ情報ブロックに基づいて前記キャッシュされたシステム情報が変化したかどうかを判断するための手段と、
前記キャッシュされたシステム情報が変化していない場合、前記非サービングシステムにアクセスするために前記キャッシュされたシステム情報を使用するための手段とをさらに備える、Ｃ１９に記載の装置。
［Ｃ２４］
前記サービングシステムから、前記少なくとも１つの非サービングシステム中のネイバーセル、または前記ネイバーセルのタイミング、または前記ネイバーセルの周波数、またはそれらの組合せを示すネイバー情報を受信するための手段をさらに備え、システム情報を前記読み取るための手段が、前記ネイバー情報に基づいて前記少なくとも１つの非サービングシステムの前記システム情報を読み取るための手段を備える、Ｃ１９に記載の装置。
［Ｃ２５］
前記非サービングシステムにアクセスするための前記手段が、
前記キャッシュされたシステム情報に基づいて少なくとも１つのアクセスパラメータを判断するための手段と、
前記少なくとも１つのアクセスパラメータに基づいて前記非サービングシステムを評価するための手段とを備える、Ｃ１９に記載の装置。
［Ｃ２６］
少なくとも１つの非サービングシステムのシステム情報を読み取ることと、ユーザ機器において前記少なくとも１つの非サービングシステムの前記システム情報をキャッシュすることと、前記ユーザ機器によって前記キャッシュされたシステム情報に基づいて、前記少なくとも１つの非サービングシステムのうちの非サービングシステムにアクセスすることとを行うために、前記ユーザ機器によってサービングシステムと通信するように構成された回路を備える、ワイヤレス通信のための装置。
［Ｃ２７］
前記回路は、前記ユーザ機器がアイドルモードにあり、前記サービングシステムにキャンプオンしている起動期間中、または前記ユーザ機器が接続モードにあり、前記サービングシステムとアクティブに通信している間欠受信（ＤＲＸ）期間中、またはその両方中に、前記少なくとも１つの非サービングシステムの前記システム情報を読み取るようにさらに構成された、Ｃ２６に記載の装置。
［Ｃ２８］
前記回路が、前記ユーザ機器の速度、または前記少なくとも１つの非サービングシステム中のセルの無線状態、または前記ＵＥのターゲット待機時間、またはそれらの組合せに基づいて、前記少なくとも１つの非サービングシステムの前記システム情報を読み取ることの周期性を判断するようにさらに構成された、Ｃ２６に記載の装置。
［Ｃ２９］
前記回路は、前記キャッシュされたシステム情報が有効であるかどうかを判断することと、前記キャッシュされたシステム情報が有効である場合、前記非サービングシステムを評価するために前記キャッシュされたシステム情報を使用することと、前記キャッシュされたシステム情報が有効でない場合、前記非サービングシステムの現在のシステム情報を読み取り、前記非サービングシステムを評価するために前記現在のシステム情報を使用することとを行うようにさらに構成された、Ｃ２６に記載の装置。
［Ｃ３０］
前記回路が、前記非サービングシステムにアクセスするより前に前記非サービングシステム中の少なくとも１つの候補セルの少なくとも１つのマスタ情報ブロック（ＭＩＢ）を読み取ることと、前記少なくとも１つのマスタ情報ブロックに基づいて前記キャッシュされたシステム情報が変化したかどうかを判断することと、前記キャッシュされたシステム情報が変化していない場合、前記非サービングシステムにアクセスするために前記キャッシュされたシステム情報を使用することとを行うようにさらに構成された、Ｃ２６に記載の装置。
［Ｃ３１］
前記回路が、前記サービングシステムから、前記少なくとも１つの非サービングシステム中のネイバーセル、または前記ネイバーセルのタイミング、または前記ネイバーセルの周波数、またはそれらの組合せを示すネイバー情報を受信することと、前記ネイバー情報に基づいて前記少なくとも１つの非サービングシステムの前記システム情報を読み取ることとを行うようにさらに構成された、Ｃ２６に記載の装置。
［Ｃ３２］
前記回路が、前記キャッシュされたシステム情報に基づいて少なくとも１つのアクセスパラメータを判断することと、前記少なくとも１つのアクセスパラメータに基づいて前記非サービングシステムを評価することとを行うようにさらに構成された、Ｃ２６に記載の装置。
［Ｃ３３］
少なくとも１つのコンピュータに、ユーザ機器によってサービングシステムと通信させるためのコードと、
前記少なくとも１つのコンピュータに、少なくとも１つの非サービングシステムのシステム情報を読み取らせるためのコードと、
前記少なくとも１つのコンピュータに、前記ユーザ機器において前記少なくとも１つの非サービングシステムの前記システム情報をキャッシュさせるためのコードと、
前記少なくとも１つのコンピュータに、前記ユーザ機器によって前記キャッシュされたシステム情報に基づいて、前記少なくとも１つの非サービングシステムのうちの非サービングシステムにアクセスさせるためのコードと
を備える非一時的コンピュータ可読媒体を備える、コンピュータプログラム製品。
［Ｃ３４］
第１のワイヤレスシステム中のユーザ機器（ＵＥ）と通信することと、
少なくとも１つの他のワイヤレスシステムに関係するネイバー情報をブロードキャストすることであって、前記ネイバー情報が、前記少なくとも１つの他のワイヤレスシステムのシステム情報を読み取るために前記ユーザ機器によって使用される、ブロードキャストすることとを備える、ワイヤレス通信のための方法。
［Ｃ３５］
前記第１のワイヤレスシステムがパケット交換（ＰＳ）サービスのみをサポートし、前記少なくとも１つの他のワイヤレスシステムが回線交換（ＣＳ）サービスをサポートする、Ｃ３４に記載の方法。
［Ｃ３６］
前記少なくとも１つの他のワイヤレスシステムの前記システム情報が変化したかどうか、または前記少なくとも１つの他のワイヤレスシステム中のネイバーセル、または前記ネイバーセルのタイミング、または前記ネイバーセルの周波数、または前記ユーザ機器と通信するセルと少なくとも１つのネイバーセルとの間の少なくとも１つのタイミングオフセット、またはそれらの組合せを示す前記ネイバー情報を生成することをさらに備える、Ｃ３４に記載の方法。
［Ｃ３７］
第１のワイヤレスシステム中のユーザ機器（ＵＥ）と通信するための手段と、
少なくとも１つの他のワイヤレスシステムに関係するネイバー情報をブロードキャストするための手段であって、前記ネイバー情報が、前記少なくとも１つの他のワイヤレスシステムのシステム情報を読み取るために前記ユーザ機器によって使用される、ブロードキャストするための手段とを備える、ワイヤレス通信のための装置。
［Ｃ３８］
前記少なくとも１つの他のワイヤレスシステムの前記システム情報が変化したかどうか、または前記少なくとも１つの他のワイヤレスシステム中のネイバーセル、または前記ネイバーセルのタイミング、または前記ネイバーセルの周波数、または前記ユーザ機器と通信するセルと少なくとも１つのネイバーセルとの間の少なくとも１つのタイミングオフセット、またはそれらの組合せを示す前記ネイバー情報を生成するための手段とをさらに備える、Ｃ３７に記載の装置。
［Ｃ３９］
第１のワイヤレスシステム中のユーザ機器（ＵＥ）と通信することと、少なくとも１つの他のワイヤレスシステムに関係するネイバー情報をブロードキャストすることであって、前記ネイバー情報が、前記少なくとも１つの他のワイヤレスシステムのシステム情報を読み取るために前記ユーザ機器によって使用される、ブロードキャストすることとを行うように構成された回路を備える、ワイヤレス通信のための装置。
［Ｃ４０］
前記回路は、前記少なくとも１つの他のワイヤレスシステムの前記システム情報が変化したかどうか、または前記少なくとも１つの他のワイヤレスシステム中のネイバーセル、または前記ネイバーセルのタイミング、または前記ネイバーセルの周波数、または前記ユーザ機器と通信するセルと少なくとも１つのネイバーセルとの間の少なくとも１つのタイミングオフセット、またはそれらの組合せを示す前記ネイバー情報を生成するようにさらに構成された、Ｃ３９に記載の装置。
［Ｃ４１］
少なくとも１つのコンピュータに、第１のワイヤレスシステム中のユーザ機器（ＵＥ）と通信させるためのコードと、
前記少なくとも１つのコンピュータに、少なくとも１つの他のワイヤレスシステムに関係するネイバー情報をブロードキャストさせるためのコードであって、前記ネイバー情報が、前記少なくとも１つの他のワイヤレスシステムのシステム情報を読み取るために前記ユーザ機器によって使用される、ブロードキャストさせるためのコードと
を備える非一時的コンピュータ可読媒体を備える、コンピュータプログラム製品。
【図１】
0005905398.tif 000002
【図２】
0005905398.tif 000003
【図３】
0005905398.tif 000004
【図４】
0005905398.tif 000005
【図５】
0005905398.tif 000006
【図６】
0005905398.tif 000007
【図７】
0005905398.tif 000008
【図８】
0005905398.tif 000009
【図９】
0005905398.tif 000010